(57)【要約】【課題】一液で、アセトアルデヒド及びアンモニアの両方に対して高い消臭効果のある消臭剤を提供する。【解決手段】（ａ）硫酸ヒドロキシルアミンと、（ｂ）スメクタイトと、（ｃ）ヒドラジン誘導体と、（ｄ）水と、を含んでなる。成分（ａ）の配合量は２〜２０重量部、成分（ｂ）の配合量は０．１〜２重量部、成分（ｃ）の配合量は２〜２０重量部、成分（ｄ）の配合量は５８〜９５．９重量部（ただし、成分（ａ）＋成分（ｂ）＋成分（ｃ）＋成分（ｄ）＝１００重量部）であることが好ましい。【選択図】なし【特許請求の範囲】
【請求項１】
（ａ）硫酸ヒドロキシルアミンと、（ｂ）スメクタイトと、（ｃ）ヒドラジン誘導体と、（ｄ）水と、を含んでなることを特徴とする消臭剤。
【請求項２】
成分（ａ）の配合量は２〜２０重量部、成分（ｂ）の配合量は０．１〜２重量部、成分（ｃ）の配合量は２〜２０重量部、成分（ｄ）の配合量は５８〜９５．９重量部（ただし、成分（ａ）＋成分（ｂ）＋成分（ｃ）＋成分（ｄ）＝１００重量部）である請求項１に記載の消臭剤。
【請求項３】
成分（ａ）の配合量は３〜１５重量部、成分（ｂ）の配合量は０．２〜１．５重量部、成分（ｃ）の配合量は３〜１５重量部、成分（ｄ）の配合量は６８．５〜９３．８重量部（ただし、成分（ａ）＋成分（ｂ）＋成分（ｃ）＋成分（ｄ）＝１００重量部）である請求項１又は請求項２に記載の消臭剤。
【請求項４】
成分（ａ）と、成分（ｂ）と、成分（ｃ）と、成分（ｄ）と、（ｅ）亜硫酸塩と、を含んでなる請求項１に記載の消臭剤。
【請求項５】
成分（ａ）の配合量は２〜２０重量部、成分（ｂ）の配合量は０．１〜２重量部、成分（ｃ）の配合量は２〜２０重量部、成分（ｄ）の配合量は３８〜９５．４重量部、成分（ｅ）の配合量は０．５〜２０重量部（ただし、成分（ａ）＋成分（ｂ）＋成分（ｃ）＋成分（ｄ）＋成分（ｅ）＝１００重量部）である請求項４に記載の消臭剤。
【請求項６】
成分（ａ）の配合量は３〜１５重量部、成分（ｂ）の配合量は０．２〜１．５重量部、成分（ｃ）の配合量は３〜１５重量部、成分（ｄ）の配合量は５８．５〜９２．８重量部、成分（ｅ）の配合量は１〜１０重量部（ただし、成分（ａ）＋成分（ｂ）＋成分（ｃ）＋成分（ｄ）＋成分（ｅ）＝１００重量部）である請求項４又は請求項５に記載の消臭剤。
【請求項７】
成分（ｃ）が、セミカルバジドの酸塩、ヒドラジド化合物、及びヒドラジンの酸塩からなる群から選ばれる１種以上の化合物である請求項１から請求項６のいずれか１項に記載の消臭剤。
【請求項８】
前記セミカルバジドの酸塩がセミカルバジドの無機酸塩である請求項７に記載の消臭剤。
【請求項９】
前記ヒドラジド化合物が有機酸ジヒドラジドである請求項７に記載の消臭剤。
【請求項１０】
前記ヒドラジンの酸塩がヒドラジンの無機酸塩である請求項７に記載の消臭剤。
【請求項１１】
請求項１から請求項１０のいずれか１項に記載の消臭剤を、布帛に塗布、乾燥してなることを特徴とする消臭布帛。
【発明の詳細な説明】
【技術分野】
【０００１】
本発明は、消臭剤、及び、消臭剤を塗布、乾燥してなる消臭布帛に関するものである。
【背景技術】
【０００２】
繊維や布帛に用いる消臭剤が種々提案されている。このような消臭剤では、特に、アセトアルデヒドやアンモニアに対する消臭効果のある消臭剤が求められつつある。特許文献１や特許文献２に記載された消臭剤では、光触媒を用いてアセトアルデヒドやアンモニアに対する消臭効果を高めることを提案している。
【０００３】
【特許文献１】特開２００７−２８９６３３号公報
【特許文献２】特開２００８−０６１８４６号公報
【発明の開示】
【発明が解決しようとする課題】
【０００４】
しかしながら、従来の消臭剤では、アルデヒド消臭及びアンモニア消臭の一方に有効なものはあっても、一液のみで、かつ、高いレベルで、アセトアルデヒド消臭及びアンモニア消臭の両方に高い消臭性能を発揮することは難しかった。
【０００５】
本発明は、上記に鑑みてなされたものであって、一液で、アセトアルデヒド及びアンモニアの両方に対して高い消臭効果のある消臭剤を提供することを目的とする。
【課題を解決するための手段】
【０００６】
上述した課題を解決し、目的を達成するために、本発明に係る消臭剤は、（ａ）硫酸ヒドロキシルアミンと、（ｂ）スメクタイトと、（ｃ）ヒドラジン誘導体と、（ｄ）水と、を含んでなることを特徴としている。
【０００７】
本発明に係る消臭剤において、成分（ａ）の配合量は２〜２０重量部、成分（ｂ）の配合量は０．１〜２重量部、成分（ｃ）の配合量は２〜２０重量部、成分（ｄ）の配合量は５８〜９５．９重量部（ただし、成分（ａ）＋成分（ｂ）＋成分（ｃ）＋成分（ｄ）＝１００重量部）であることが好ましい。
【０００８】
本発明に係る消臭剤において、成分（ａ）の配合量は３〜１５重量部、成分（ｂ）の配合量は０．２〜１．５重量部、成分（ｃ）の配合量は３〜１５重量部、成分（ｄ）の配合量は６８．５〜９３．８重量部（ただし、成分（ａ）＋成分（ｂ）＋成分（ｃ）＋成分（ｄ）＝１００重量部）であることがより好ましい。
【０００９】
本発明に係る消臭剤は、成分（ａ）と、成分（ｂ）と、成分（ｃ）と、成分（ｄ）と、（ｅ）亜硫酸塩と、を含んでなることが好ましい。
【００１０】
本発明に係る消臭剤において、成分（ａ）の配合量は２〜２０重量部、成分（ｂ）の配合量は０．１〜２重量部、成分（ｃ）の配合量は２〜２０重量部、成分（ｄ）の配合量は３８〜９５．４重量部、成分（ｅ）の配合量は０．５〜２０重量部（ただし、成分（ａ）＋成分（ｂ）＋成分（ｃ）＋成分（ｄ）＋成分（ｅ）＝１００重量部）であることがより好ましい。
【００１１】
本発明に係る消臭剤において、成分（ａ）の配合量は３〜１５重量部、成分（ｂ）の配合量は０．２〜１．５重量部、成分（ｃ）の配合量は３〜１５重量部、成分（ｄ）の配合量は５８．５〜９２．８重量部、成分（ｅ）の配合量は１〜１０重量部（ただし、成分（ａ）＋成分（ｂ）＋成分（ｃ）＋成分（ｄ）＋成分（ｅ）＝１００重量部）であることがさらに好ましい。
【００１２】
本発明に係る消臭剤において、成分（ｃ）が、セミカルバジドの酸塩、ヒドラジド化合物、及びヒドラジンの酸塩からなる群から選ばれる１種以上の化合物であることが好ましい。
【００１３】
本発明に係る消臭剤において、セミカルバジドの酸塩はセミカルバジドの無機酸塩であることが好ましい。
【００１４】
本発明に係る消臭剤において、ヒドラジド化合物は有機酸ジヒドラジドであることが好ましい。
【００１５】
本発明に係る消臭剤において、ヒドラジンの酸塩はヒドラジンの無機酸塩であることが好ましい。
【００１６】
本発明に係る消臭布帛は、上述のいずれかの消臭剤を、布帛に塗布、乾燥してなることを特徴としている。
【発明の効果】
【００１７】
本発明に係る消臭剤は、一液で、アセトアルデヒド及びアンモニアの両方に対して高い消臭効果を発揮することができる、という効果を奏する。また、このような消臭剤を塗布、乾燥した、本発明に係る消臭布帛は、アセトアルデヒド及びアンモニアの両方に対して高い消臭効果を備える。
【発明を実施するための最良の形態】
【００１８】
本発明に係る消臭剤は、（ａ）硫酸ヒドロキシルアミン（以下、ＨＡＳと略すことがある）と、（ｂ）スメクタイトと、（ｃ）ヒドラジン誘導体と、（ｄ）水と、を含んでなる消臭剤である。
【００１９】
成分（ｂ）であるスメクタイトは、層状珪酸塩鉱物であって、チキソトロピー性を備えており、消臭成分が沈降するのを防止する効果を備えるとともに吸着機能により消臭性能を向上させる。
【００２０】
成分（ｃ）であるヒドラジン誘導体は、特に限定されないが、例えば、（ｉ）ヒドラジン；（ｉｉ）モノメチルヒドラジン、ジメチルヒドラジン、ｔ−ブチルヒドラジン塩酸塩などのアルキルヒドラジン及びその塩；（ｉｉｉ）硫酸ヒドラジン、炭酸ヒドラジン、一塩酸ヒドラジン、二塩酸ヒドラジン、ブロム酸ヒドラジンなどのヒドラジンの酸塩；（ｉｖ）カルボジヒドラジド、アジピン酸ジヒドラジド、セバチン酸ジヒドラジド、ドデカン二酸ジヒドラジド、イソフタル酸ジヒドラジド、コハク酸ジヒドラジドなどのヒドラジド化合物；（ｖ）塩酸セミカルバジド、硫酸セミカルバジド、チオセミカルバジドなどのカルバジド類；等が挙げられる。これらは、１種類を単独で、あるいは２種類以上を組み合わせて使用することができる。
【００２１】
成分（ｃ）の中でも、カルバジド類が好ましく、塩酸セミカルバジド、硫酸セミカルバジドなどのセミカルバジドの無機酸塩がより好ましい。
【００２２】
また、成分（ｃ）は、セミカルバジドの酸塩、ヒドラジド化合物、及びヒドラジンの酸塩からなる群から選ばれる１種以上の化合物であることが好ましい。
【００２３】
セミカルバジドの酸塩の中でも、塩酸セミカルバジド、硫酸セミカルバジドなどのセミカルバジドの無機酸塩がより好ましい。
【００２４】
ヒドラジド化合物の中でも、アジピン酸ジヒドラジド、セバチン酸ジヒドラジド、ドデカン二酸ジヒドラジド、イソフタル酸ジヒドラジド、コハク酸ジヒドラジドなどの有機酸ジヒドラジドが好ましく、コハク酸ジヒドラジドがより好ましい。
【００２５】
ヒドラジンの酸塩の中でも、硫酸ヒドラジン、炭酸ヒドラジン、一塩酸ヒドラジン、二塩酸ヒドラジン、ブロム酸ヒドラジンなどのヒドラジンの無機酸塩が好ましく、硫酸ヒドラジンがより好ましい。
【００２６】
本発明に係る消臭剤の各成分の配合量は、合計量１００重量部に対して、成分（ａ）の配合量が２〜２０重量部、成分（ｂ）の配合量が０．１〜２重量部、成分（ｃ）の配合量が２〜２０重量部、成分（ｄ）の配合量が５８〜９５．９重量部であることが好ましい。
【００２７】
本発明に係る消臭剤の各成分の配合量は、合計量１００重量部に対して、成分（ａ）の配合量を３〜１５重量部、成分（ｂ）の配合量を０．２〜１．５重量部、成分（ｃ）の配合量を３〜１５重量部、成分（ｄ）の配合量を６８．５〜９３．８重量部とするとさらに好ましい。
【００２８】
成分（ａ）の配合量が上記の好ましい範囲内にあることにより、従来困難であったアルデヒド類とアンモニア類をバランスよく効率よく消臭できる。
【００２９】
成分（ｂ）の配合量が上記の好ましい範囲内にあることにより、消臭成分の水溶液中での分散状態が安定し、更に自身の吸着性能で他の消臭性能を向上させる。
【００３０】
成分（ｃ）の配合量が上記の好ましい範囲内にあることにより、特にアルデヒド類の消臭性能を向上させる。
【００３１】
成分（ｄ）の配合量が上記の好ましい範囲内にあることにより、布帛への加工が容易となる。
【００３２】
また、成分（ａ）、（ｂ）、（ｃ）、（ｄ）に加えて、（ｅ）亜硫酸塩を含むことが好ましい。
【００３３】
成分（ｅ）の例としては、特に限定されず、亜硫酸ナトリウム、重亜硫酸ナトリウム、亜硫酸水素ナトリウム、亜硫酸カリウム、亜硫酸マグネシウム、亜硫酸アルミニウム、亜硫酸アンモニウムなどが挙げられるが、亜硫酸ナトリウムが好ましい。
【００３４】
成分（ａ）、（ｂ）、（ｃ）、（ｄ）、（ｅ）を含む場合の配合量は、合計量１００重量部に対して、成分（ａ）の配合量が２〜２０重量部、成分（ｂ）の配合量が０．１〜２重量部、成分（ｃ）の配合量が２〜２０重量部、成分（ｄ）の配合量が３８〜９５．４重量部、成分（ｅ）の配合量が０．５〜２０重量部とすることが好ましい。
【００３５】
成分（ａ）、（ｂ）、（ｃ）、（ｄ）、（ｅ）を含む場合の配合量は、合計量１００重量部に対して、成分（ａ）の配合量を３〜１５重量部、成分（ｂ）の配合量を０．２〜１．５重量部、成分（ｃ）の配合量を３〜１５重量部、成分（ｄ）の配合量を５８．５〜９２．８重量部、成分（ｅ）の配合量を１〜１０重量部とするとさらに好ましい。
【００３６】
成分（ａ）の配合量が上記の好ましい範囲内にあることにより、従来困難であったアルデヒド類とアンモニア類をバランスよく効率よく消臭できる。
【００３７】
成分（ｂ）の配合量が上記の好ましい範囲内にあることにより、消臭成分の水溶液中での分散状態が安定し、更に自身の吸着性能で他の消臭性能を向上させる。
【００３８】
成分（ｃ）の配合量が上記の好ましい範囲内にあることにより、特にアルデヒド類の消臭性能を向上させる。
【００３９】
成分（ｄ）の配合量が上記の好ましい範囲内にあることにより、布帛への加工が容易となる。
【００４０】
成分（ｅ）の配合量が上記の好ましい範囲内にあることにより、特にアルデヒド類の消臭性能を向上させる。
【００４１】
また、繊維製品などの布帛に、上述した消臭剤を含有させ、乾燥してなる消臭繊維製品などの消臭布帛を得ることができる。例えば、本発明の消臭剤は、糸、毛糸、カーペット、じゅうたん、ゴザ、トイレ用マット、風呂用マット、玄関用マット、布団、ベッド、ソファー、車用シート、靴下、ストッキング、タイツ、靴の中敷、手袋、帽子などの繊維製品に代表される布帛に塗布、付着、又は含浸後、乾燥して使用することができる。また、本発明に係る消臭剤は、例えば、室内用消臭剤、トイレ用消臭剤、喫煙所用消臭剤、車内用消臭剤、冷蔵庫用消臭剤として使用することもできる。
【実施例】
【００４２】
次に、実施例により本発明を具体的に説明する。なお、この実施例により本発明が限定されるものではない。
【００４３】
実施例に係る消臭剤ｓａ１〜ｓａ９は、室温で攪拌機等を用いて混合した。
【００４４】
消臭成分ＳＡについては、和光純薬社製の硫酸ヒドロキシルアミンをそのまま用いた。
【００４５】
消臭成分ＳＢは、合成スメクタイト（コープケミカル社製のルーセントＳＷＦ（商標））をそのまま用いた。
【００４６】
消臭成分ＳＣについては、各実施例に応じて、以下の消臭成分ＳＣ１〜ＳＣ４のいずれかをそのまま用いた。
（１）消臭成分ＳＣ１：塩酸セミカルバジド（和光純薬社製）
（２）消臭成分ＳＣ２：硫酸セミカルバジド（和光純薬社製）
（３）消臭成分ＳＣ３：コハク酸ジヒドラジド（日本ファインケム社製）
（４）消臭成分ＳＣ４：硫酸ヒドラジン（和光純薬社製）
【００４７】
消臭成分ＳＥは、亜硫酸ナトリウム（和光純薬社製）１５重量部とグリセリン０．９重量部を、水８４．１重量部に溶かして、亜硫酸ナトリウム水溶液として用いた。
【００４８】
上述の消臭成分ＳＡ、ＳＢ、ＳＣ、ＳＥ、及び水を表１に掲げる配合量（重量部）により混合し、実施例ｓａ１〜ｓａ９、及び、比較例に係る消臭剤ｓｂ１を調整した。
【００４９】
（悪臭ガスの消臭率評価試料作成）
次に、悪臭ガスの消臭率を評価するために、以下の手順で試料を作成した。
【００５０】
まず、１０ｃｍ×１０ｃｍの不織布に、表１に掲げる配合の消臭剤ｓａ１〜ｓａ９（実施例１〜９）、及び、比較例に係る消臭剤ｓｂ１（比較例１）を、それぞれ０．７ｇ滴下して塗布した。つづいて、消臭剤が塗布された試料をバットに入れ、１５０℃にて５分間乾燥して、試料を調整した。
【００５１】
（悪臭ガスの消臭率評価方法）
悪臭ガスの消臭率の評価方法について説明する。
上述の方法で調整した試料を５Ｌのテドラー（登録商標）バッグ（フッ化ビニル製サンプリングバッグ）に封入する。次に、悪臭ガスとして、２０ｐｐｍのアセトアルデヒド又はアンモニアをテドラーバッグに３Ｌ注入する。なお、悪臭化合物は個別に試験する。
【００５２】
つづいて、初期濃度と４時間後の濃度（室温）を、検知管（アセトアルデヒド:ガステック社製；Ｎｏ．９２Ｍ、アンモニア:ガステック社製、Ｎｏ．３Ｌａ）及び光音響マルチガスモニタ（インノヴァ  エアテック  インストゥルメント社製  型番１４１２−５）で測定し、消臭率を算出する。
【００５３】
消臭率（％）は次式（１）によって算出する。
｛（Ｇ０−Ｇ４）／Ｇ０｝×１００ ・・・（１）
ただし、Ｇ０：注入時の悪臭ガス濃度（「初期濃度」ともいう。）、Ｇ４：４時間後の悪臭ガス濃度消臭率は、初期濃度に対する悪臭ガス濃度の減少率（「消臭率」ともいう。）を示している。消臭率（単位：％）の数値が大きいほど消臭効果が大きいことを意味している。
【００５４】
表１は、実施例に係る消臭剤ｓａ１〜ｓａ９、及び、比較例１に係る消臭剤ｓｂ１における消臭成分ＳＡ、ＳＢ、ＳＣ、ＳＥ、及び水の配合割合（単位：重量部）、並びに、アセトアルデヒド及びアンモニアの消臭率（単位：％）を示す表である。ただし、消臭成分ＳＡ、ＳＢ、ＳＣ１、ＳＣ２、ＳＣ３、ＳＣ４、ＳＥ、及び水の合計量は１００重量部である。
【００５５】
【表１】
2010005093.tif 000002
【００５６】
表１から明らかなように、実施例に係る消臭剤ｓａ１〜ｓａ９は、いずれも、アセトアルデヒド及びアンモニアに対して、バランス良く、かつ、高いレベルの消臭性能を発揮することがわかる。これに対して、比較例に係る消臭剤ｓｂ１では、アセトアルデヒドに対して特に消臭性能が低い。
【産業上の利用可能性】
【００５７】
以上のように、本発明に係る消臭剤は、一液でアセトアルデヒド及びアンモニアの両方に対して消臭性能を発揮することが求められている場合に有用である。